(57)【特許請求の範囲】
【請求項１】
ワイヤレス通信ネットワークのネットワーク制御ノード（１０）から、ユーザ装置（５０）へとページング命令を送信する方法であって、前記ワイヤレス通信ネットワーク用の無線カバレッジが、複数のセル（３０）内で複数の基地局によって提供され、
前記ユーザ装置を低複雑性ユーザ装置として識別する、低複雑性識別情報と、
前記ユーザ装置がカバレッジ拡張モードをサポートしているかどうかに関する、前記ユーザ装置からの指示であって、前記カバレッジ拡張モードが、カバレッジを拡大するために、いくつかのメッセージングの繰返しを利用する、指示と
前記カバレッジ拡張モードをサポートしている前記ユーザ装置が、前記カバレッジ拡張モードを要求するエリア内に現在いるかどうかに関する指示と
のうちの少なくとも１つを含むユーザ装置ケイパビリティ情報を、前記基地局（２０）のうちの少なくとも１つから前記ネットワーク制御ノード（１０）において受信することと、
前記低複雑性識別情報と、前記ユーザ装置がカバレッジ拡張モードをサポートしているかどうかに関する、前記ユーザ装置からの前記指示および前記カバレッジ拡張モードをサポートしている前記ユーザ装置が、前記カバレッジ拡張モードを要求するエリア内に現在いるかどうかに関する前記指示のうちの少なくとも１つを含むカバレッジ拡張モード指示とのうちの前記少なくとも１つを、前記ユーザ装置に向けたページングプロパティ情報として、前記ネットワーク制御ノードにおいて格納することと、
前記ページングプロパティ情報を、前記基地局のうちの少なくとも１つに対し、現在アイドルモード中の前記ユーザ装置のページングを命令する際に、送信することと
を行い、
少なくとも１つの基地局から前記ネットワーク制御ノードにおいて受信され、前記ネットワーク制御ノードにおいて格納された他のユーザ装置ケイパビリティ情報とは別に、ページングプロパティ情報として前記ネットワーク制御ノードに格納された前記ユーザ装置ケイパビリティ情報が、少なくとも１つの基地局から前記ネットワーク制御ノードにおいて受信され、前記格納されたページングプロパティ情報が、前記格納された他のユーザ装置ケイパビリティ情報とは別に少なくとも１つの基地局に送信される、方法。
【請求項２】
前記低複雑性識別情報および前記カバレッジ拡張モード指示の両方を受信することと、前記低複雑性識別情報および前記カバレッジ拡張モード指示を、前記ページングプロパティ情報として格納することとを含む、請求項１に記載の方法。
【請求項３】
前記ページングプロパティ情報のうちの少なくともいくつかが、前記ネットワーク制御ノードにおいて、
前記ユーザ装置から送信され、前記基地局を介して前記ネットワーク制御ノードへと送信される、無線リソース制御ＲＲＣ信号の部分として受信される、請求項１または２に記載の方法。
【請求項４】
複数のセル（３０）内で複数の基地局（２０）によって提供されるワイヤレス通信ネットワーク向けの前記ワイヤレス通信ネットワークの無線カバレッジ用となるネットワーク制御ノード（１０）であって、ページング命令をユーザ装置へと送信するように動作可能であり、
前記ユーザ装置を低複雑性ユーザ装置として識別する、低複雑性識別情報と、
前記ユーザ装置がカバレッジ拡張モードをサポートしているかどうかに関する、前記ユーザ装置からの指示であって、前記カバレッジ拡張モードが、カバレッジを拡大するために、いくつかのメッセージングの繰返しを利用する、指示と、
前記カバレッジ拡張モードをサポートしている前記ユーザ装置が、前記カバレッジ拡張モードを要求するエリア内に現在いるかどうかに関する指示と
のうちの少なくとも１つを含むユーザ装置ケイパビリティ情報を、前記基地局のうちの１つから受信するように動作可能な、受信機（１４）と、
前記低複雑性識別情報と、前記ユーザ装置がカバレッジ拡張モードをサポートしているかどうかに関する、前記ユーザ装置からの前記指示および前記カバレッジ拡張モードをサポートしている前記ユーザ装置が、前記カバレッジ拡張モードを要求するエリア内に現在いるかどうかに関する前記指示のうちの少なくとも１つを含むカバレッジ拡張モード指示とのうちの前記受信された少なくとも１つを、前記ユーザ装置に向けたページングプロパティ情報として格納するように動作可能な、データストア（１２）と、
前記ページングプロパティ情報を、前記基地局のうちの少なくとも１つに対し、現在アイドルモード中の前記ユーザ装置のページングを命令する際に送信するように動作可能な送信機（１４）と
を含み、
少なくとも１つの基地局から前記ネットワーク制御ノードにおいて受信され、前記ネットワーク制御ノードにおいて格納された他のユーザ装置ケイパビリティ情報とは別に、ページングプロパティ情報として前記ネットワーク制御ノードに格納された前記ユーザ装置ケイパビリティ情報が、少なくとも１つの基地局から前記ネットワーク制御ノードにおいて受信され、前記格納されたページングプロパティ情報が、前記格納された他のユーザ装置ケイパビリティ情報とは別に少なくとも１つの基地局に送信される、ネットワーク制御ノード（１０）。
【請求項５】
ワイヤレスネットワークと通信する低複雑性ユーザ装置によって実行される方法であって、前記ユーザ装置が、前記ネットワークへの接続時に、基地局に対し、無線リソース制御シグナリングの一部として、ユーザ装置ケイパビリティ情報を送信するように構成されており、
前記方法が、
２つの別個のケイパビリティコンテナを送信することを含み、
前記ケイパビリティコンテナのうちの１つは、前記ユーザ装置を低複雑性ユーザ装置として識別する、低複雑性識別情報と、前記ユーザ装置が、カバレッジ拡張モードをサポートしているかどうかに関する指示とを含む、方法。
【請求項６】
ワイヤレスネットワークと通信するための低複雑性ユーザ装置（５０）であって、前記低複雑性ユーザ装置は、前記ネットワークへの接続時に、基地局に対し、無線リソース制御シグナリングの一部として、ユーザ装置ケイパビリティ情報を送信するように構成されており、前記低複雑性ユーザ装置は、２つの別個のコンテナで前記ユーザ装置ケイパビリティ情報を送信するように構成されており、前記コンテナのうちの１つは、前記ユーザ装置を低複雑性ユーザ装置として識別する、低複雑性識別情報と、前記ユーザ装置が、カバレッジ拡張モードをサポートしているかどうかに関する指示とを含む、低複雑性ユーザ装置（５０）。
【請求項７】
ユーザ装置ケイパビリティ情報を受信する基地局によって実行される方法であって、
前記受信したユーザ装置ケイパビリティ情報の少なくとも一部を、ページングプロパティ情報としてネットワーク制御ノードに送信することを含み、
前記ページングプロパティ情報が、ユーザ装置を低複雑性ユーザ装置として識別する、低複雑性識別情報と、前記ユーザ装置がカバレッジ拡張モードをサポートしているかどうかを示す指示と、前記カバレッジ拡張モードをサポートしている前記ユーザ装置が、前記カバレッジ拡張モードを要求するエリア内に現在いるかどうかを示すモード情報とのうちの少なくとも１つを含み、
前記ユーザ装置からの他のユーザ装置ケイパビリティ情報とは別に、前記ユーザ装置ケイパビリティ情報が、前記ネットワーク制御ノードに送信される、方法。
【請求項８】
前記ページング情報を前記ネットワーク制御ノードに送信するのに先立って、前記ユーザ装置ケイパビリティ情報から前記ユーザ装置ページング情報を抽出することを含む、請求項７に記載の方法。
【請求項９】
ページング命令をネットワーク制御ノードから受信し、前記ページング命令が、ユーザ装置をページングするための命令と、前記ユーザ装置が、低複雑性ユーザ装置およびカバレッジ拡張モードをサポートするとともに前記カバレッジ拡張モードを要求するエリア内に現在いるユーザ装置のうちの少なくとも一方であることを示す前記ページングプロパティ情報とを含むことと、
ユーザ装置が低複雑性ユーザ装置であることを示すページングプロパティ情報に応答して、所定のサイズよりも小さい転送ブロックでページングメッセージを送信することと、
ユーザ装置がカバレッジ拡張モードをサポートするとともにカバレッジ拡張モードを要求するエリア内にいることを示すページングプロパティ情報に応答して、前記ページングメッセージを前記ユーザ装置へ繰り返し送信することとをさらに含む、請求項７または８に記載の方法。
【請求項１０】
ユーザ装置（５０）からユーザ装置ケイパビリティ情報を受信し、
前記受信したユーザケイパビリティ情報の少なくとも一部を、ページングプロパティ情報としてネットワーク制御ノードに送信する、
ように構成された基地局（２０）であって、
前記ページングプロパティ情報が、ユーザ装置を低複雑性ユーザ装置として識別する、低複雑性識別情報と、前記ユーザ装置がカバレッジ拡張モードをサポートしているかどうかを示す指示と、前記カバレッジ拡張モードをサポートしている前記ユーザ装置が、前記カバレッジ拡張モードを要求するエリア内に現在いるかどうかを示すモード情報とのうちの少なくとも１つを含み、
前記ユーザ装置からの他のユーザ装置ケイパビリティ情報とは別に、前記ユーザ装置ケイパビリティ情報が、前記ネットワーク制御ノードに送信される、基地局。
【請求項１１】
前記基地局は、ページング命令をネットワーク制御ノードから受信するように構成されており、前記ページング命令が、ユーザ装置のページングを命令するとともに、前記ユーザ装置が、低複雑性ユーザ装置およびカバレッジ拡張モードをサポートし前記カバレッジ拡張モードを要求するエリア内に現在いるユーザ装置のうちの少なくとも一方であることを示す前記ページングプロパティ情報を含み、
前記基地局が、前記受信されたページング命令に対し、ページングメッセージを前記ユーザ装置へと送信することによって応答するように構成され、
前記基地局は、ユーザ装置が低複雑性ユーザ装置であることを示すページングプロパティ情報に応答して、所定のサイズよりも小さい転送ブロックでページングメッセージを送信するように構成されており、
前記基地局は、ユーザ装置がカバレッジ拡張モードをサポートするとともにカバレッジ拡張モードを要求するエリア内にいることを示すページングプロパティ情報に応答して、前記ページングメッセージを前記ユーザ装置へ繰り返し送信するように構成されている、請求項１０に記載の基地局。
【請求項１２】
データ処理装置によって実行されたときに、前記データ処理装置を請求項１から３、５、および７から９のいずれか一項に記載の方法を実行するように制御する、コンピュータプログラム。
【発明の詳細な説明】
【技術分野】
【０００１】
本発明は、ワイヤレス通信ネットワークに関し、より詳細には、現在ネットワークに接続されておらず、アイドルモードにあるユーザ装置のページングに関する。
【背景技術】
【０００２】
ワイヤレスの通信システムが知られている。セルラシステムでは、セルとして知られているエリア内のユーザ装置（たとえば、モバイルフォン）に対し、無線カバレッジが提供される。無線カバレッジを提供するために、基地局が各セル内に設置される。各セル内にあるユーザ装置は、基地局から情報やデータを受信するとともに、同基地局へ向けて、情報やデータを送信するように操作可能なものとなり得る。
【０００３】
基地局によりユーザ装置へと送信される情報およびデータは、ダウンリンクチャネルとして知られている、無線キャリアのチャネル上に現れる。ユーザ装置により基地局へと送信される情報およびデータは、アップリンクチャネルとして知られている、無線キャリアのチャネル上に現れる。基地局の配備は、ネットワークオペレータによって主に制御されるか、または制御可能なものとなっているが、ユーザ装置の配備はそうではない。ネットワーク内でのユーザ装置の配備は、予期せぬ結果を引き起こすおそれがある。
【０００４】
ワイヤレス通信ネットワークは、音声通話以外に、情報の伝送用として、いっそう盛んに用いられるようになっている。したがって、従来の携帯電話のものとはいくらか異なる特徴を持つ、新しいタイプのユーザ装置ＵＥ、および／または、新しいタイプの通信モードを明細化するということは、望ましいものとなる可能性がある。このようなＵＥをサポートするには、ネットワークノード、または基地局が、ＵＥケイパビリティ（ｃａｐａｂｉｌｉｔｙ）を知る必要がある。接続モードにあるＵＥについては、専用のシグナリングを介して、またはコアネットワークから、ＵＥケイパビリティを交換可能であるため、このことは問題にならない。主な課題は、ＵＥの接続前（すなわち、ＵＥがアイドルモードにあるとき）に生じる。
【０００５】
ユーザ装置に向けて、ページング情報を問題なく送信することを可能としたまま、そのユーザ装置のさまざまな動作タイプや動作モードをサポートすることが可能となれば、それは望ましいものとなろう。
【発明の概要】
【課題を解決するための手段】
【０００６】
本発明の第１の態様は、ワイヤレス通信ネットワークのネットワーク制御ノードから、ユーザ装置へとページング命令を送信する方法であって、前記ワイヤレス通信ネットワーク用の無線カバレッジが、複数のセル内で複数の基地局によって提供され、前記ユーザ装置を低複雑性ユーザ装置として識別する、低複雑性識別情報と、前記ユーザ装置がカバレッジ拡張モードをサポートしているかどうかに関する、前記ユーザ装置からの指示と、前記カバレッジ拡張モードをサポートしている前記ユーザ装置が、前記カバレッジ拡張モードを要求するエリア内に現在いるかどうかに関する指示であって、前記カバレッジ拡張モードが、カバレッジを拡大するために、いくつかのメッセージングの繰返しを利用する、指示とのうちの少なくとも１つを、前記ネットワーク制御ノードにおいて受信することと、前記低複雑性ユーザ装置情報および前記カバレッジ拡張モード指示のうちの前記少なくとも１つを、前記ユーザ装置に向けたページングプロパティ情報として、前記ネットワーク制御ノードにおいて格納することと、前記ページングプロパティ情報を、前記基地局のうちの少なくとも１つに対し、アイドルモード中の前記ユーザ装置のページングを命令する際に、送信することとを行う、方法を提供する。
【０００７】
本発明の発明者らは、ワイヤレス通信ネットワークが、従来の携帯電話に加え、さまざまなデバイスに対しても使用されていることを認識している。こうしたネットワークを利用する、比較的新しいタイプのデバイスの１つに、マシン型通信ＭＴＣデバイスがあり、これは、たとえばスマートユーティリティメータなどのマシンからの情報を通信するために用いられる。このようなデバイスは、ネットワークに頻繁にアクセスすることなく、送信時に限られたデータ量のみを送信するものとなる可能性がある。したがって、こうした低複雑性と呼ばれる動作、または低コストのＭＴＣデバイスのために、より単純な新しいタイプのユーザ装置を明細化することは、好都合なものとなり得る。コストの低減は、ＬＣ  ＭＴＣ  ＵＥのケイパビリティを限定すること、たとえば、アップリンクおよびダウンリンク送信のための転送ブロックサイズを限定し、デバイス内で使用されるバッファサイズの低減を可能にするといったことにより、実現される。
【０００８】
このようなデバイスの別の特徴は、それらは多くの場合移動体ではなく、信号減衰が高いエリア（ネットワークノードとデバイスの間の通信を困難にする地階など）に設置され得るということである。拡張カバレッジ通信モードは、こうしたことに対処するために案出されたものであり、拡張カバレッジモードでの動作中、特定のメッセージが繰り返し送信されることにより、その情報の蓄積および復号が可能となる。よって、セルの高減衰エリアは、通信の成功確率を高めるために、拡張カバレッジモードでの動作が必要なエリアとなる。
【０００９】
アイドルモードにあるこのようなデバイスに向けてページング情報を送信できるようにするために、ネットワークは、ページングメッセージをユーザ装置が復号可能な形で送信できるよう、それらのデバイスのケイパビリティを把握している必要がある。
【００１０】
この問題は、ネットワーク制御ノードによって対処される。ネットワーク制御ノードとは、ＬＴＥネットワークにおけるモビリティ管理エンティティ（またはＭＭＥ）のノードなど、コアネットワークのノードであり、ユーザ装置のケイパビリティに関する情報を受信し、その情報を当該ユーザ装置のためのページングプロパティ情報として格納する。その後、ネットワーク制御ノードは、ページングを命令する際、ページングプロパティ情報をページング命令とともに基地局へと送信することで、ユーザ装置のページング時に、基地局は適切なシグナリングを使用できるようになる。このようにすることで、ユーザ装置のタイプが異なっていても、ネットワークによるサポートが可能となり、さらに正常なページングが可能な状態を保つことができる。
【００１１】
拡張カバレッジモードに関する情報は、カバレッジ拡張モードをサポートするためのユーザ装置のケイパビリティを示すインジケータ、およびユーザ装置が現在カバレッジ拡張モードケイパビリティを有するエリア内にいるかどうかを示すもう１つのインジケータの、２つのインジケータを含み得るということに留意されたい。代わりに、この情報は、同モードが現在サポートされていることを単に示す、単一のインジケータとして送信されてもよい。その際、ページングという目的のためには、後者が要求されるもののすべてではあるが、ユーザ装置のケイパビリティおよびモードが異なる方法で送信されてもよく、それにより２つの態様が別個に示されてよい。
【００１２】
いくつかの実施形態では、本方法は、前記低複雑性識別情報および前記カバレッジ拡張モード指示の両方を受信することと、前記低複雑性識別情報および前記カバレッジ拡張モード指示を、前記ページングプロパティ情報として格納することとを含む。
【００１３】
ネットワークは、低複雑性ユーザ装置またはカバレッジ拡張モードユーザ装置のどちらかをサポートするように構成されてよく、このどちらの場合も、ユーザ装置のページングを命令する際に基地局へと送信できるよう、ページングプロパティ情報は、ネットワーク制御ノードにおいて、コアネットワークによって利用可能なものである必要がある。いくつかの実施形態では、カバレッジ拡張モードおよび低複雑性ユーザ装置の両方がネットワークによってサポートされており、その場合、ページングプロパティ情報は、これらの特徴の一方または両方を、ＵＥおよびその現在位置に応じて含み入れることができる。上で触れたように、カバレッジ拡張モードインジケータは、ユーザ装置がカバレッジ拡張可能でありかつ同モードを要求するエリア内にいるということを示す単一のインジケータとも、一方がユーザ装置ケイパビリティを示し他方が同モードが現在必要か否かを示す２つのインジケータともなり得る。
【００１４】
いくつかの実施形態では、前記カバレッジ拡張モード指示が、いくつかの実施形態における非アクセス層（ＮＡＳ）シグナリングとして、トラッキングエリア更新信号内で受信される。
【００１５】
ユーザ装置がカバレッジ拡張モードをサポート可能であるという場合、このユーザ装置は、同モードを常時サポートせずとも、高減衰エリア内にいるときはカバレッジ拡張モードで動作し、信号が強いエリア内にいるときは標準非カバレッジ拡張モードで動作するといったことが可能である。よって、デバイスが移動体である場合、これらのエリアへ出入りする可能性があり、したがってカバレッジ拡張モードから非カバレッジ拡張モードへと切り替わる可能性がある。このような場合、ページング情報が適切な形で送信され、ユーザ装置がそれを受信できるよう、デバイスのケイパビリティの変化がコアネットワークへと送信される必要がある。これを行うための簡便な方法は、トラッキングエリア更新を使用することである。トラッキングエリア更新信号がアイドルモードにあるユーザ装置によって使用されることで、コアネットワークに更新された位置情報が提供される。それにより、ページングメッセージが適切な基地局へと送信可能となる。したがって、このような通信ネットワークは、こうしたケイパビリティを既に備えており、本発明の実施形態は、このケイパビリティを利用して、セル間の移動時だけでなく、カバレッジ拡張エリアへの出入り時にも、ユーザ装置がトラッキングエリア更新処理をトリガし、それを使用して、拡張カバレッジモードの変更を、セル間の移動など、その他のトラッキングエリア変更情報とともに（なくてもよい）、ネットワーク制御ノードに提供することができるようにする。
【００１６】
非アクセス層（ＮＡＳ）信号の別の例は、ネットワークへの初期接続時に、ユーザ装置からネットワーク制御ノードへと送信される、アタッチ信号である。これに関し、初めにスイッチがオンにされるとき、または新しいエリアに到達したとき、ユーザ装置は、適切なネットワークを探し出し、自身をネットワークに登録する非アクセス層信号を送信することになる。それにより、ユーザ装置は、後からネットワークにコンタクトし、ページングメッセージ、およびネットワークの更新があれば、それらを受信することが可能となる。ユーザ装置は、この追加となるページングプロパティ情報を同信号内で提供することができ、この情報はネットワーク制御ノードに格納可能であるとともに、ページングが必要なときに、ページング情報として基地局へと送信することが可能である。
【００１７】
いくつかの実施形態では、前記ページングプロパティ情報のうちの少なくともいくつかが、前記ユーザ装置から、無線リソース制御ＲＲＣシグナリングの部分として受信される。
【００１８】
ユーザ装置は、ＲＲＣ接続確立手続きの実行時に、自身のケイパビリティおよび動作モードを、ＲＲＣメッセージを介して、基地局へと提供することになる。基地局は、この特定のケイパビリティを抽出し、それをネットワーク制御ノードに提供することができる。これに関し、ネットワークへと接続する際に、ユーザ装置のケイパビリティは、基地局を介して「コンテナ」でネットワーク制御ノードへと送信される。それにより、ユーザ装置のセル移動時に、この情報を次のセルの基地局へと転送することが可能となる。この場合、ケイパビリティと動作モードの両方を含む可能性のある、ページング情報が抽出され、そのＵＥに関する他の情報とは異なる「コンテナ」で、別々にネットワーク制御ノードへと送信される。その理由は、ネットワーク制御ノードがこの情報にアクセスする必要が、ユーザ装置がアイドルモードにあるときにページングを命令する場合に生じるからである。これは、アクティブモードにあるデバイスのセル移動時に、次の基地局へと情報を単に送信するのとは対照的である。
【００１９】
いくつかの実施形態では、前記低複雑性識別情報および前記拡張モードカバレッジケイパビリティのうちの少なくとも一方が、前記ユーザ装置の前記ネットワークへの登録時に、前記ユーザ装置についてサブスクリプション情報から受信される。
【００２０】
ユーザ装置の低複雑性情報および／または拡張カバレッジモードをサポートする同ユーザ装置のケイパビリティは、そのユーザ装置のネットワークに対するサブスクリプション情報の部分となる。よって、いくつかの実施形態では、ネットワーク制御ノードが、ユーザ装置の当該ネットワークへの登録時に、それを受信することになる。
【００２１】
いくつかの実施形態では、前記ページングプロパティ情報を送信する前記ステップが、ページングを前記ネットワーク制御ノードから前記基地局のうちの少なくとも１つへと送信するときに実行される。
【００２２】
ページングプロパティ情報は、Ｓ１ページング信号を用いて、コアネットワークから基地局へと送信することができる。Ｓ１ページング信号とは、コアネットワークがＵＥをページングする必要が生じたときに、コアネットワークと基地局の間で送信される信号である。
【００２３】
本発明の第２の態様は、複数のセル内で複数の基地局によって提供されるワイヤレス通信ネットワーク向けの前記ワイヤレス通信ネットワークの無線カバレッジ用となるネットワーク制御ノードであって、ページング命令をユーザ装置へと送信するように動作可能であり、前記ユーザ装置を低複雑性ユーザ装置として識別する、低複雑性識別情報と、前記ユーザ装置がカバレッジ拡張モードをサポートしているかどうかに関する指示と、前記カバレッジ拡張モードをサポートしている前記ユーザ装置が、前記カバレッジ拡張モードを要求するエリア内に現在いるかどうかに関する指示であって、前記カバレッジ拡張モードが、カバレッジを拡大するために、いくつかのメッセージングの繰返しを利用する、指示とのうちの少なくとも１つを受信するように動作可能な、受信機と、前記低複雑性ユーザ装置情報および前記カバレッジ拡張モード指示のうちの前記受信された少なくとも１つを、前記ユーザ装置に向けたページングプロパティ情報として格納するように動作可能な、データストアと、前記ページングプロパティ情報を、前記基地局のうちの少なくとも１つに対し、現在アイドルモード中の前記ユーザ装置のページングを命令する際に送信するように動作可能な送信機とを含む、ネットワーク制御ノードを提供する。
【００２４】
本発明の第３の態様は、ワイヤレスネットワークと通信するユーザ装置によって実行される方法であって、前記ユーザ装置が、前記ネットワークへの接続時に、ネットワーク制御ノードに対し、前記ユーザ装置を低複雑性ユーザ装置として識別する、低複雑性識別情報と、前記ユーザ装置が、カバレッジ拡張モードをサポートしているかどうかに関する指示と、前記ユーザ装置が、前記カバレッジ拡張モードを要求するエリア内に現在いるかどうかに関する指示であって、前記カバレッジ拡張モードが、カバレッジを拡大するために、いくつかのメッセージングの繰返しを利用する、指示とのうちの少なくとも１つを送信するように構成される、方法を提供する。
【００２５】
先に示したように、これらの新しいタイプのユーザ装置がネットワークによってサポートされるようにするためには、これらのユーザ装置が、自身のケイパビリティおよび／またはモードを、それらのデバイスのページングを制御するネットワーク制御ノードへと送信する必要がある。よって、このようなユーザ装置は、ネットワークへの接続時に、この情報をネットワーク制御ノードへと送信するように構成される。ネットワーク制御ノードにおいて、この情報は集中的に格納され、ページング手続きにおける使用が可能となる。
【００２６】
本発明の第４の態様は、ワイヤレスネットワークと通信するためのユーザ装置であって、前記ネットワークへの接続時に、ネットワーク制御ノードに対し、前記ユーザ装置を低複雑性ユーザ装置として識別する、低複雑性識別情報と、前記ユーザ装置がカバレッジ拡張モードをサポートしているかどうかに関する指示と、前記カバレッジ拡張モードをサポートしている前記ユーザ装置が、前記カバレッジ拡張モードを要求するエリア内に現在いるかどうかに関する指示であって、前記カバレッジ拡張モードが、カバレッジを拡大するために、いくつかのメッセージングの繰返しを利用する、指示とのうちの少なくとも１つを送信するように構成される、ユーザ装置を提供する。
【００２７】
いくつかの実施形態では、前記カバレッジ拡張モードをサポートするとともに、前記カバレッジ拡張モードケイパビリティの変化を検出し、トラッキングエリア更新手続きをトリガすることにより前記検出された変化に応答し、前記カバレッジ拡張モード指示の前記変化をトラッキングエリア更新信号内で送信するように構成される、前記ユーザ装置。
【００２８】
ユーザ装置が移動体であり、かつカバレッジ拡張モードをサポートしている場合、このユーザ装置は、カバレッジ拡張モードで動作しているときも、そうでないときも、ネットワークにシグナリングする必要がある。よって、ユーザ装置は、このようなモードがサポートおよび要求されるエリアにいつ出入りしたかを検出し、変化を検出したことに応答して、トラッキングエリア更新手続きをトリガすることにより、ユーザ装置がセル間を移動した場合にユーザ装置が情報をネットワーク制御ノードへと通知するのと同じ方法で、この情報がネットワーク制御ノードへと通知できるように構成される。このようにすることで、既に準備された手続きを使用して、それらのサポート、またはそれらのカバレッジ拡張モードをトラッキングすることが可能となる。
【００２９】
いくつかの実施形態では、前記ユーザ装置が、前記低複雑性識別情報および前記カバレッジ拡張モード指示のうちの少なくとも一方を、前記ユーザ装置から前記ネットワーク制御ノードへと送信される、無線リソース制御信号の部分および非アクセス層（ＮＡＳ）信号（アタッチ要求やトラッキングエリア更新信号など）のうちの少なくとも一方として送信するように構成される。
【００３０】
ユーザ装置は、ネットワーク制御ノードへと信号を送信するとき、この情報を伝達するために、ネットワーク制御ノードへと情報を転送することになる基地局へと向けられた無線リソース制御シグナリング、または基地局を通じて透過的に送信されるネットワーク制御ノード宛ての非アクセス層信号を利用することができる。
【００３１】
本発明の第５の態様は、基地局によって実行される、ページング命令をネットワーク制御ノードから受信する方法であって、前記ページング命令が、ユーザ装置のページングを命令するとともに、前記ユーザ装置が、低複雑性ユーザ装置、カバレッジ拡張モードをサポートするユーザ装置、および前記カバレッジ拡張モードを要求するエリア内に現在いるユーザ装置のうちの少なくとも１つであることを示すページングプロパティ情報を含み、前記基地局が、前記受信されたページング命令に対し、ページングメッセージを前記ユーザ装置へと送信することによって応答するように構成され、前記ページングプロパティ情報が、前記ユーザ装置が、低複雑性ユーザ装置であることを示し、前記ページングメッセージが、所定のサイズよりも小さい転送ブロックで送信され、前記ページングプロパティ情報が、前記ユーザ装置が、カバレッジ拡張モードをサポートし、前記ページングメッセージを前記ユーザ装置へと繰り返し送信する前記カバレッジ拡張モードを要求するエリア内にいることを示す、方法を提供する。
【００３２】
さまざまなタイプのユーザ装置をサポートするシステム内で基地局が動作するために、それらの基地局は、自身がページング命令を受信するときに、自身がページングすることになるユーザ装置のプロパティを知る必要がある。よって、基地局は、ページングメッセージ命令の受信時にページング情報を受信し、適切な方法でユーザ装置をページングするように構成される。したがって、ページングプロパティ情報が低複雑性ユーザ装置と示す場合には、ページングメッセージはより小さな転送ブロックで送信され、カバレッジ拡張モードと示す場合には、ページングメッセージは繰り返しユーザ装置へと送信されることになる。
【００３３】
本発明の第６の態様は、ページング命令をネットワーク制御ノードから受信するように構成される基地局であって、前記ページング命令が、ユーザ装置のページングを命令するとともに、前記ユーザ装置が、低複雑性ユーザ装置、カバレッジ拡張モードをサポートするユーザ装置、および前記カバレッジ拡張モードを要求するエリア内に現在いるユーザ装置のうちの少なくとも１つであることを示すページングプロパティ情報を含み、前記基地局が、前記受信されたページング命令に対し、ページングメッセージを前記ユーザ装置へと送信することによって応答するように構成され、前記ページングプロパティ情報が、前記ユーザ装置が、低複雑性ユーザ装置であることを示し、前記ページングメッセージが、所定のサイズよりも小さい転送ブロックで送信され、前記ページングプロパティ情報が、前記ユーザ装置が、カバレッジ拡張モードをサポートし、前記ページングメッセージを前記ユーザ装置へと繰り返し送信する前記カバレッジ拡張モードを要求するエリア内にいることを示す、基地局を提供する。
【００３４】
本発明の第７の態様は、コンピュータを制御して、本発明の第１、第３、または第５の態様による方法を実行させるように動作可能な、コンピュータプログラムを提供する。
【００３５】
特有かつ好ましい、さらなる態様も、添付の独立および従属請求項に記載される。従属請求項の特徴は、独立請求項の特徴と適宜組み合わせることが可能であり、各請求項に明示的に記載された以外の組み合わせとすることも可能である。
【００３６】
装置の特徴が、ある機能を提供するように動作可能であると記述される場合、この記述には、同機能を提供する、または同機能を提供するように構成される装置の特徴が含まれるものと認められる。
【００３７】
添付図面を参照しながら、本発明の実施形態について、以下でさらに説明する。
【図面の簡単な説明】
【００３８】
【図１】本発明の実施形態による、ワイヤレスネットワーク通信システムを示す図である。
【図２】ユーザ装置ケイパビリティをコアネットワークに提供するための、２つの方法におけるステップを例示する流れ図である。
【図３】ユーザ装置ケイパビリティをコアネットワークに提供する、別の方法を示す図である。
【発明を実施するための形態】
【００３９】
概観
実施形態について、少しでも詳しく論じるに先立ち、まず概観を提供する。本出願は、ＵＥがＬＣ  ＭＴＣであり、かつ／またはカバレッジ拡張モードにあるという情報を、アイドルモードページングの前に、ネットワーク／ｅＮＢに提供する問題を扱うものである。
【００４０】
こうした情報を提供するために、以下のオプションが利用可能であることを、本出願は認めている：
ａ．  ＵＥが、アタッチされたＮＡＳ、またはトラッキングエリアを更新する際に提供する。
ｂ．  ＵＥサブスクリプションデータの部分として提供する。
ｃ．  （ａ）と（ｂ）を組み合わせる。
【００４１】
オプション（ａ）については、非接続時のＵＥから、ＬＣ  ＭＴＣケイパビリティおよびカバレッジ拡張モードケイパビリティを提供する方法が、３通り存在する：
【００４２】
方法１：ＮＡＳメッセージを介した明示的ケイパビリティ表示
これは、ＵＥが初めにスイッチをオンにしたときに発生させることができる。明示的ケイパビリティ表示は、ＮＡＳアタッチを介して、ネットワークにＬＣ  ＭＴＣケイパビリティを提供し、このＬＣ  ＭＴＣケイパビリティは、ＵＥコンテキストの部分として、ＬＴＥネットワーク用のネットワーク制御ノードまたはＭＭＥに保持される。ＵＥは、スイッチがオンになっている間、自身が拡張カバレッジセル／トラッキングエリア内にいると検出すれば、このことをネットワークに対しても示すことになる。あるＵＥのＬＣ  ＭＴＣケイパビリティは、そのＵＥの静的なケイパビリティであって、変化はしない。ＵＥは、自身が拡張カバレッジケイパビリティを持つかどうかを示すこともできる。拡張カバレッジモードの利用は、ＵＥが拡張カバレッジエリア内にいるかどうかに依存しており、ＵＥが移動すれば、変更されることもある。ＵＥは、トラッキングエリアの更新に際し、（トラッキングエリアの変更があろうとなかろうと）拡張カバレッジモードを変更することができる（すなわち、ケイパビリティの変化時、ＵＥはＴＡＵ手続きをトリガすることになる）。ＵＥがネットワークにアタッチされる間にＭＭＥがケイパビリティを格納する。ＵＥがアイドルモードで、ＭＭＥがＵＥをページングする必要があるとき、そのＭＭＥは、Ｓ１ページングシグナリングの間、ＵＥのＬＣ  ＭＴＣケイパビリティ、および／またはカバレッジ拡張モードに関する明示的ＩＥを、ｅＮＢに提供する。その後、ケイパビリティに応じて、ｅＮＢが動作する。
【００４３】
方法２：ＲＲＣメッセージを介した明示的ケイパビリティ表示
ＵＥは、初めてＲＲＣ接続の確立を実行するときに、ＲＲＣメッセージを介して、そのケイパビリティを提供することになる。既存のＵＥケイパビリティコンテナにケイパビリティを保持する代わりに、ＵＥは、ＬＣ  ＭＴＣ、ならびに／または拡張カバレッジケイパビリティおよびモードを、明示的シグナリングとしてＭＭＥに提供することも可能である。ＵＥがネットワークにアタッチされる間にＭＭＥがこの情報を格納する。ＵＥがアイドルモードで、ＭＭＥがＵＥをページングする必要があるとき、そのＭＭＥは、Ｓ１ページングシグナリングの間、ＵＥのＬＣ  ＭＴＣケイパビリティ、および／またはカバレッジ拡張モードに関する明示的ＩＥを、ｅＮＢに提供する。その後、要求されたケイパビリティに応じて、ｅＮＢが動作する（コールフローについては図１を参照）。
【００４４】
方法３：ＲＲＣコンテナにケイパビリティ表示を提供する
ＵＥは、初めてＲＲＣ接続の確立を実行するときに、ＲＲＣメッセージを介してそのケイパビリティを、ＵＥアシスタンス情報シグナリングを介してそのモードを提供することになる。通常、ｅＮＢはこのケイパビリティコンテナを、ＭＭＥに提供する。既存のＵＥケイパビリティコンテナにケイパビリティを保持する代わりに、ｅＮＢは、ＵＥ  ＭＴＣケイパビリティを抽出し、それをＭＭＥへと送られる別のコンテナに提供することも可能である。この背景にある根本的理由は、コンテナは接続モード用のみならず、アイドルモード用としても使用できるということにある。よって、アイドルモードページングを実行するために、既存のケイパビリティコンテナを提供する必要はない。ＵＥがネットワークにアタッチされる間にＭＭＥがケイパビリティを格納する。ＵＥがアイドルモードで、ＭＭＥがＵＥをページングする必要があるとき、そのＭＭＥは、Ｓ１ページングシグナリングの間、ＵＥのＬＣ  ＭＴＣケイパビリティ、ならびに／またはカバレッジ拡張ケイパビリティおよびモードに関する新規コンテナを、ｅＮＢに提供する。その後、ケイパビリティに応じて、ｅＮＢが動作する（コールフローについては図２を参照）。
【００４５】
言及したように、ＵＥのＬＣ  ＭＴＣケイパビリティ、およびそのカバレッジ拡張モードをサポートする能力は静的であり、これはＵＥサブスクリプションの部分として提供することが可能である。オプション（ｂ）では、ＵＥがネットワークに登録されていれば、ＭＭＥはこうした情報を、ホーム加入者サービス（ｈｏｍｅ  ｓｕｂｓｃｒｉｂｅｒ  ｓｅｒｖｉｃｅ：ＨＳＳ）から取得することができる。場合によってはデバイスがモバイルではなく、またカバレッジ拡張モードも静的となるが、本方法を使用すれば、ケイパビリティ情報だけでなく、この情報も送信することができる。この情報は、コアネットワークノード、またはＭＭＥから、Ｓ１ページングシグナリングを介し、ｅＮＢに明示的に提供される。
【００４６】
代わりに、オプション（ａ）と（ｂ）の組み合わせを介して、ネットワークに情報を提供することも可能である。たとえば、拡張カバレッジモードをオプション（ａ）を介して提供しながら、ＬＣ  ＭＴＣケイパビリティをオプション（ｂ）を介して提供することが可能である。
【００４７】
ＵＥは、接続モードに移行するとき、ネットワークの基地局ｅＮＢとハンドシェイクを行って、これに接続する。ＭＭＥは、接続モードページングおよびその他の送受信のために、この情報をＳ１  ＵＥコンテキストの部分として、再度ｅＮＢに提供することができる。代わりに、ＵＥとｅＮＢの間における、再度のＵＥケイパビリティ交換を介して、同ＵＥがこの情報を提供することもできる。
【００４８】
図１は、本発明の実施形態による、ワイヤレスネットワーク通信システムを示している。本システムは、無線カバレッジセル３０内に無線カバレッジを提供する、複数の基地局２０を含んでいる。これらの基地局２０のうち、いくつかはカバレッジ拡張モードで動作するように構成されており、このモード中は、拡張カバレッジセル３２を提供する。拡張カバレッジセル３２により、カバレッジセルのエリアは拡大され、基地局は、高減衰エリアに位置するユーザ装置と、低信号で通信できるようになる。拡張カバレッジセルとして示されたエリアは、メッセージの繰返しを利用して通信を改善する、拡張カバレッジモードが必要となるエリアである。こうした繰返しにより、たとえ情報の受信が困難な場合であったとしても、その情報を蓄積し、復号することが可能になる。
【００４９】
コアネットワークは、基地局２０およびサブスクリプションサービス１６と通信を行う、ネットワーク制御ノード、またはモビリティ管理エンティティ（ＭＭＥ）を含んでいる。サブスクリプションサービス１６は、このネットワークを使用するために加入しているユーザ装置のサブスクリプション情報を格納する。ネットワーク制御ノード１０は、さまざまなユーザ装置のケイパビリティに関する情報を格納する、ユーザ装置ケイパビリティストアを備えている。これは、ページングプロパティ情報という形で格納され、ページング命令とともに、基地局へと送信される。これらの基地局は、特定のユーザ装置をページングすることになる。ネットワーク制御ノード１０は、さまざまな基地局との間で信号を送受信するために、受信機／送信機回路１４も備えている。これらの信号は、ワイヤレスで、または有線リンクを通じて送信することが可能であり、ネットワークの構成によっては、この２つを混合させて送信することも可能である。
【００５０】
ユーザ装置５０は、ローカル基地局との接続手続きを実行しており、この基地局との通信用となる専用チャネルを確立しているときには接続モードで動作することができ、ワイヤレスネットワークに接続されていない場合はアイドルモードで動作することができる。たとえば、別のユーザ装置がユーザ装置５０へのコンタクトをしたい場合、またはユーザ装置５０が知る必要のあるネットワークについての情報が存在する場合、こうした情報をユーザ装置５０へと送信することができるように、アイドルモードにおいても、依然としてユーザ装置５０は、ネットワークによる接続が可能な状態にあることを必要とする。こうした理由から、ネットワーク制御ノード１０は、ページング情報を適切な基地局へと送信できるよう、アイドルモードにあるユーザ装置の位置情報を格納する。その際、ＵＥ５０は、ユーザ装置として、トラッキングエリア更新（ＴＡＵ）手続きを実行する。それにより、ユーザ装置５０の新たな位置に関する情報が、ネットワーク制御ノード１０へと送信され、そこに格納されることが可能となる。
【００５１】
ユーザ装置が、自身を信号の復号が可能なものとするために、特定のシグナリングを要求する特定のプロパティを持つ場合、この情報もまた、ページングメッセージがユーザ装置によって問題なく受信されるように、ネットワーク制御ノード１０において格納されることが必要となる。たとえば、ユーザ装置５０が、バッファストレージのスペースが小さいなど、低複雑性または低コストのデバイスであれば、大量の情報をバッファすることができないため、サイズが抑えられた転送ブロックにおいてのみ通信が可能となる。ネットワーク制御ノード１０は、ページング情報を送信する前に、このことを知る必要がある。こうした理由から、ネットワーク制御ノード１０は、このユーザ装置ケイパビリティ情報を、ページングプロパティ情報という形で、ページングプロパティストア１２に格納することになる。
【００５２】
ユーザ装置５０は、拡張カバレッジモードをサポートすることも可能であるが、この場合、拡張カバレッジを必要とするエリア内にユーザ装置５０があるとき、および基地局自身が拡張カバレッジモードで動作しているときにサポートできるのみである。その際、ことによると信号侵入度の低いエリアに位置するユーザ装置を、ことによると地階の信号で、繰り返されるメッセージングを利用した基地局との通信が可能なものとするために、拡張カバレッジモードが提供される。よって、ユーザ装置は、自身がこのような場所にあり、このモードの動作をサポートしている間、このことをネットワーク制御ノードに知らせることが必要となる。それにより、ページングメッセージの送信時には、これらのページングメッセージが繰り返し送信され、ユーザ装置５０は、複数のメッセージを蓄積して、これらのメッセージを無事に復号する可能性を増加させることが可能となる。いくつかの実施形態では、この情報は、トラッキングエリア更新手続きを用いて送信され、それにより、ユーザ装置は、自身が拡張カバレッジモードエリアに出入りしたのはいつかということを監視し、およびこの情報をネットワーク制御ノード１０へと送信する。ネットワーク制御ノード１０は、この送信された情報を、ユーザ装置５０の位置情報および他のページングプロパティ情報（ユーザ装置５０が低複雑性デバイスであるなら、その情報など）と併せて、格納することができる。その際、拡張カバレッジモード情報は、ユーザ装置が現在拡張カバレッジモードをサポートしているか否かを示す単一のインジケータとして、または、一方がカバレッジ拡張モードをサポートするためのユーザ装置のケイパビリティ、すなわち静的プロパティを示すインジケータであり、他方がユーザ装置がこのカバレッジ拡張モードをサポートするエリア内に現在いるかどうかを示す動的モードインジケータである、２つのインジケータとして、格納され得る。この動的インジケータが、カバレッジ拡張モードをサポートするケイパビリティを持つユーザ装置のためだけに格納されることは明白である。
【００５３】
ユーザ装置が低複雑性デバイスであるなど、プロパティ情報がより静的である場合、これはデバイスがネットワークに加入しているときに、同デバイスに関するサブスクリプション情報として提供することが可能であり、したがって、ＨＳＳ１６内のサブスクリプション情報に格納することが可能である。この場合、この情報は、ＨＳＳ１６からネットワーク制御ノードへと送信され、データストア１２に、ページングプロパティ情報として、やはり格納される。その際、拡張カバレッジケイパビリティも静的プロパティとみなすことができ、この拡張カバレッジケイパビリティは、動的プロパティ、または変更可能な動作モードであり、したがってＮＡＳシグナリングを介して、または無線リソース接続信号でなど、異なる方法で送信可能な動作モードである、特定の時間にカバレッジ拡張モードをサポートする能力を用いて、ＨＳＳ１６を介して提供することも可能である。
【００５４】
静的ケイパビリティと任意のモード情報の両者は、ユーザ装置が、ことによるとＮＡＳ信号で、または接続要求手続きの部分として、ネットワーク制御ノード１０に宛てられたメッセージか、自身でこの情報を抽出するとともに、ページングプロパティ情報ストア１２に格納するために、同情報をネットワーク制御ノードへと送信する基地局に充てられたメッセージのどちらかにおいて、ネットワークに最初に接続するときに、代替的および／または追加的に、ネットワーク制御ノードへと送信することが可能である。ネットワーク制御ノードに宛てられたメッセージは、基地局を介して送信されるものの、基地局が単純にメッセージをさらに送信するというような、透過的な方法で行われるということに留意されたい。
【００５５】
図２は、低複雑性ＭＴＣ、ならびに／または拡張カバレッジモードケイパビリティおよびモード情報を、ＭＭＥに明示的に提供する一方法を示している。この図の上部に着目すると、電源オンになると、ユーザ装置が、アタッチ手続きを実行し、アタッチ要求をコアネットワークへと送信している。これは、コアネットワークに宛てられた信号で、ｅＮＢ、または基地局を介して、透過的に送信されることになる。代わりに、ＵＥは、拡張カバレッジモードの変更を検出した場合、トラッキングエリア更新要求を、やはりＭＭＥに向けて送信し、このことを示すことができる。ＭＭＥは、受信した情報を、ページングプロパティ情報として格納し、アタッチまたはトラッキングエリア更新は完了することになる。次いで、ＵＥは、いくらか後の時点で、ＭＭＥへの接続を解除し、アイドルモードに入る。後に、ＭＭＥは、Ｓ１アプリケーションページング要求を用いてユーザ装置をページングし、ページング情報（ＵＥ識別子、低複雑性ケイパビリティインジケータ、拡張カバレッジインジケータ、など）を含み入れることになる。このページング情報は、ユーザ装置が拡張カバレッジケイパビリティを持つかどうか、およびカバレッジ拡張モードを必要とするエリア内にいるかどうかを示すことになる。その後、基地局は、適切なシグナリングを使用して（すなわち、デバイスが低複雑性デバイスであれば、転送サイズが抑えられたブロックを用い、カバレッジ拡張モードを要求するのであれば、送信を繰り返すことにより）、デバイスをページングすることが可能となる。
【００５６】
図２下部の流れ図に着目すると、先の場合と同様、ＵＥが電源オンになり、アタッチ手続きを実行、または拡張カバレッジモードの変更を検出している。次いで、ＵＥは、ネットワークに接続するために、ＲＲＣ接続を実行する。この接続の間、ＵＥは自身のケイパビリティを、無線リソース制御（ＲＲＣ）シグナリングの部分として送信する。これには、低複雑性およびカバレッジ拡張モードケイパビリティ情報が含まれる。また、ＵＥはモード情報を、ＲＲＣシグナリングの部分として、アシスタンス情報信号で送信し、これには、ユーザ装置が拡張カバレッジを必要とするエリア内に現在いるかどうかを示す、カバレッジ拡張モードインジケータが含まれる。基地局は、この情報をＳ１ページングメッセージとして、ネットワーク制御ノードＭＭＥへと送信する。このＭＭＥは、ユーザ装置のケイパビリティおよび／またはモードをページングプロパティ情報として格納する。次いで、デバイスはある時点で接続を解除し、アイドルモードに入る。ＭＭＥは、ユーザ装置をページングすることを望む場合、ユーザ装置識別子およびそのケイパビリティ／モードが含まれる、Ｓ１ページングメッセージを使用することになる。その後、基地局は、ユーザ装置を、そのケイパビリティ情報を備えた適切なシグナリングを用いて、ページングすることができる。
【００５７】
図３は、独立したＲＲＣコンテナ内に提供されたＬＣケイパビリティおよび拡張カバレッジモードの、アイドルモードページングにおいて使用される既存のＲＲＣコンテナに対する、プロビジョニングを示している。
【００５８】
本方法もやはり、ＵＥが電源オンになり、アタッチ手続きを実行、または拡張カバレッジモードの変更を検出するところから開始される。ＲＲＣ接続が確立され、ＲＲＣケイパビリティ情報が基地局へと送信される。この基地局は、低複雑性ＭＴＣケイパビリティインジケータおよび拡張カバレッジケイパビリティインジケータのための独立したＲＲＣコンテナを持っている。拡張カバレッジモードが現在必要かどうかを示すモードインジケータを含む、アシスタンス信号が送信される。ケイパビリティインジケータを既存のＵＥケイパビリティコンテナへと別々に送信することや、それらをその内部で送信することが可能である。次いで、この情報は、２つの独立したコンテナでＭＭＥへと送信され、これらのコンテナは、ＭＭＥ内で別々に格納される。一般的なユーザ装置ケイパビリティは、接続要求時に、コアネットワークからｅ−ｎｏｄｅ  Ｂへと、ブロックとして単純に送信される。しかし、ページング情報に関して、これはユーザ装置がアイドルモードにあるときに必要とされるため、それを独立したコンテナに格納することにより、ページングが要求された際に、ＭＭＥがこれにアクセスし、それをページング要求とともに、適切な基地局へと送信することが可能となる。
【００５９】
ひとたびＵＥがネットワークとの接続を解除してアイドルモードとなれば、ＭＭＥはＵＥのページングを望む可能性があり、ＵＥを識別するとともにＬＣ  ＭＴＣならびに拡張カバレッジケイパビリティおよびモード情報を自身の中に持つ新規ＲＣコンテナを提供するＳ１ページングメッセージを送信することになる。これにより、基地局（この場合ではｅＮＢ）は、適切なケイパビリティでページングを実行することが可能となる。
【００６０】
上で説明したさまざまな方法が持つステップは、プログラミングされたコンピュータによって実行可能であるということが、当業者には容易に認識されよう。本明細書において、いくつかの実施形態は、たとえばデジタルデータ記憶媒体など、プログラム記憶デバイスも対象に含むことを意図している。このプログラム記憶デバイスは、マシンまたはコンピュータによる読み取りが可能であり、マシンまたはコンピュータによる実行が可能な命令プログラムを符号化するものである。前記命令は、上で説明した前記方法が持つステップの一部または全部を実行する。プログラム記憶デバイスは、たとえば、デジタルメモリ、磁気記憶媒体（磁気ディスク、磁気テープなど）、ハードドライブ、または光学的な読み取りが可能なデジタルデータ記憶媒体とすることができる。これらの実施形態は、上記方法が持つ前記ステップを実行するようにプログラミングされた、コンピュータも対象に含むことを意図している。
【００６１】
「プロセッサ」または「ロジック」とラベルづけされた機能ブロックを含む、図面に示されたさまざまな要素が持つ機能は、専用のハードウェアやソフトウェアの実行が可能なハードウェアを、適切なソフトウェアと連携させて使用することを通じて提供され得る。プロセッサによって提供される場合、それらの機能は、単一の専用プロセッサ、単一の共用プロセッサ、または複数の独立したプロセッサ（その一部が共用でもよい）によって提供され得る。さらに、「プロセッサ」、「コントローラ」、または「ロジック」という用語が明示的に使用されたとしても、それはソフトウェアを実行可能なハードウェアのみを指すものと解釈されるべきではなく、限定するものではないが、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するためのリードオンリメモリ（ＲＯＭ）、ランダムアクセスメモリ（ＲＡＭ）、および不揮発性ストレージなどが、暗に含まれ得る。その他のハードウェア（従来型および／またはカスタム）も、これに含まれてよい。同様に、図面に示されたあらゆるスイッチは、概念的なものにすぎない。それらの機能は、プログラムロジックの動作を通じて、専用ロジックを通じて、プログラム制御と専用ロジックの相互作用を通じて、または手動でさえ実行が可能であり、文脈からより具体的に理解されるように、特定の技術が実装者によって選択可能である。
【００６２】
本明細書のブロック図はいずれも、本発明の原理を体現している例証的回路の概念図を表しているということは、当業者によって認められよう。同様に、フローチャート、流れ図、状態遷移図、擬似コードなどはいずれも、コンピュータ可読媒体内で実質的に描き出され、その明示の有無を問わないコンピュータまたはプロセッサによって実行可能な、さまざまなプロセスを表すものであるということも理解されよう。
【００６３】
本記述および図面は、本発明の原理を例示するにすぎない。よって、当業者であれば、本明細書において明示的に記述または示されていなくとも、本発明の原理を体現し本発明の趣旨および範囲に含まれる、さまざまな構成を案出することが可能であることが理解されよう。さらに、本明細書に記載された全ての実施例は、主として、本発明の原理、および当該技術を前進させるために本発明者によって寄せられた概念を、読者が理解するのを支援するという、教授のみを目的としたものとなるよう明確に意図されており、そのように具体的に記載された実施例や条件への限定は、伴わないものとして解釈されるべきである。さらに、本発明の原理、態様、および実施形態、ならびにそれらの具体的実施例に触れた本明細書の記述の一切は、その均等物を包含することを意図している。
【００６４】
添付図面を参照しながら、本発明の例示的実施形態を本明細書に詳述したが、本発明はその通りの実施形態に限定されるものではなく、添付の特許請求の範囲およびその均等物によって定義される本発明の範囲から逸脱することなしに、当業者によるさまざまな変更や修正が、その実施形態の中で有効となり得ることを理解されたい。
【図１】
0006553063.tif 000002
【図２】
0006553063.tif 000003
【図３】
0006553063.tif 000004